(57)【要約】【課題】  駆動系への負荷を軽減して耐久性を向上させるとともに、発煙・発火等のトラブルに対しても容易且つ迅速に対処できるようにする。【解決手段】  皿底に小孔が形成された複数のタバコの灰皿３を所定間隔おいて配置し、同灰皿３の下方に長い回収路４を灰皿３の配置方向に沿って設け、同回収路４内に灰皿３の小孔から落下した吸殻を搬送する無端の搬送部材を設け、同搬送部材の往路のリターン部下方に搬送された吸殻を下方へ落下させて回収する回収箱を設けたタバコの吸殻回収装置において、前記回収路４内に消火水を入れて搬送部材の往路を浸漬し、搬送部材を回動開始位置から隣接する各灰皿３間以下の距離を低速回動させて灰皿３の小孔から落下した吸殻が隣接する灰皿３の吸殻と重ならないように搬送し、その後高速回動させて搬送部材上の吸殻を回収箱へ一度に回収するようにした。【選択図】図１ 
2005130714.tif 000002
【特許請求の範囲】
【請求項１】
皿底に小孔が形成された複数のタバコの灰皿を所定間隔おいて配置し、同灰皿の下方に長い回収路を灰皿の配置方向に沿って設け、同回収路内に灰皿の小孔から落下した吸殻を搬送する無端の搬送部材を設け、同搬送部材の往路のリターン部下方に搬送された吸殻を下方へ落下させて回収する回収箱を設けたタバコの吸殻回収装置において、前記搬送部材を回動開始位置から隣接する灰皿間以下の距離を低速回動させて灰皿の小孔から落下した吸殻が隣接する灰皿の吸殻と重ならないように搬送し、その後高速回動させて搬送部材上の吸殻を回収箱へ一度に回収するようにしたことを特徴とするタバコの吸殻回収装置の運転方法。
【請求項２】
回収路内に消火水を入れて搬送部材の往路を浸漬するようにした請求項１記載のタバコの吸殻回収装置の運転方法。
【請求項３】
搬送部材の低速回動中に高速回動へ手動で切換する切換スイッチを設けた請求項１又は２記載のタバコの吸殻回収装置の運転方法。
【請求項４】
請求項１〜３いずれか記載のタバコの吸殻回収装置が遊技場で使用されるものであって、搬送部材を遊技場の営業時間内で低速回動させ、遊技場の営業時間外で高速回動させるようにしたタバコの吸殻回収装置の運転方法。
【請求項５】
低速回動が３０〜６０分おきの間欠回動で、高速回動が前記低速回動と同速の連続回動である請求項４記載のタバコの吸殻回収装置の運転方法。
【発明の詳細な説明】
【技術分野】
【０００１】
本発明は、遊技場・食堂・会議室等に設置され、灰皿に投じられたタバコの吸殻を自動的に回収していくタバコの吸殻回収装置に関する。
【背景技術】
【０００２】
従来、タバコの吸殻回収装置は特許文献１に開示されている。この技術は、皿底に小孔が形成された複数のタバコの灰皿を所定間隔おいて直線状に配置し、同灰皿の下方に長い回収路を灰皿の配置方向に沿って設け、同回収路内に灰皿の小孔から落下した吸殻を搬送する無端の搬送部材を設け、同搬送部材の往路のリターン部に搬送された吸殻を下方へ落下させて回収する消火水を貯水した回収箱を設けた構造を特徴とするものである。
【０００３】
ところで、前記構成の吸殻回収装置は、回収路内に消火水が無いから、搬送部材に落下した未消火の吸殻は早急に回収箱へ搬送して消火する必要がある。従って、搬送部材を常時回動させることとなり、駆動系に負荷がかかって耐久性に劣る問題があった。また、回収路内で吸殻の発煙・発火等のトラブルが生じた場合は装置を分解したり取り外したりする必要があり、対処が容易且つ迅速に行えない問題もあった。
【特許文献１】特開平１１−４７４２４号公報
【発明の開示】
【発明が解決しようとする課題】
【０００４】
本発明が解決しようとする課題は、従来のこれらの問題点を解消し、駆動系への負荷を軽減して耐久性を向上させるとともに、発煙・発火等のトラブルに対しても容易且つ迅速に対処できるようにするタバコの吸殻回収装置の運転方法を提供することにある。
【課題を解決するための手段】
【０００５】
かかる課題を解決した本発明の構成は、
１）  皿底に小孔が形成された複数のタバコの灰皿を所定間隔おいて配置し、同灰皿の下方に長い回収路を灰皿の配置方向に沿って設け、同回収路内に灰皿の小孔から落下した吸殻を搬送する無端の搬送部材を設け、同搬送部材の往路のリターン部下方に搬送された吸殻を下方へ落下させて回収する回収箱を設けたタバコの吸殻回収装置において、前記搬送部材を回動開始位置から隣接する灰皿間以下の距離を低速回動させて灰皿の小孔から落下した吸殻が隣接する灰皿の吸殻と重ならないように搬送し、その後高速回動させて搬送部材上の吸殻を回収箱へ一度に回収するようにしたことを特徴とするタバコの吸殻回収装置の運転方法
２）  回収路内に消火水を入れて搬送部材の往路を浸漬するようにした前記１）記載のタバコの吸殻回収装置の運転方法
３）  搬送部材の低速回動中に高速回動へ手動で切換する切換スイッチを設けた前記１）又は２）記載のタバコの吸殻回収装置の運転方法
４）  前記１）〜３）いずれか記載のタバコの吸殻回収装置が遊技場で使用されるものであって、搬送部材を遊技場の営業時間内で低速回動させ、遊技場の営業時間外で高速回動させるようにしたタバコの吸殻回収装置の運転方法
５）  低速回動が３０〜６０分おきの間欠回動で、高速回動が前記低速回動と同速の連続回動である前記４）記載のタバコの吸殻回収装置の運転方法
にある。
【発明の効果】
【０００６】
本発明によれば、搬送部材の駆動距離の短縮及び回動速度の遅延が可能となり、駆動系への負荷が軽減されて装置の耐久性が向上する。また、回収路内に消火水を入れた構造のものは、灰皿に投じられた吸殻が回収路内の消火水で消火されることで早急に回収箱へ搬送する必要が無くなり、より駆動距離の短縮及び回動速度の遅延が可能となる。さらに、搬送部材を高速回動に切換する切換スイッチを設けた構造では、回収路内の消火水で消火しきれず発煙・発火等のトラブルが生じた場合に、低速回動の途中で高速回動に切換し、回収路内の吸殻を迅速且つ強制的に回収箱へ搬送して確実に消火させることができる。
【発明を実施するための最良の形態】
【０００７】
本発明の搬送部材の回動パターンとしては、間欠低速回動−連続高速回動，間欠低速回動−連続低速回動，連続微速回動−連続低速回動，連続微速回動−連続高速回動があり、任意に選ばれる。連続微速回動は連続運転ではあるが、回転数が非常に少なくなるため、従来と比較して耐久性は確実に向上して駆動系への負荷は少ないものである。
【０００８】
高速回動へ切換する切換スイッチとしては、スイッチを入れると一定時間作動して自動的に停止するものや、スイッチを押している間のみ作動するものがあり、任意に選ばれるものである。消火水としては水が一般的に用いられるが、水に消火剤・芳香剤・消臭剤を必要に応じて混入してもよい。また、消火水の代わりに炭酸ガス等からなる消火ガスを回収路及び回収箱内に充填させてもよい。以下、本発明の実施例を図面に基づいて具体的に説明する。
【実施例１】
【０００９】
図１〜８に示す実施例は、遊技場のパチンコ台群に取り付けた本発明のタバコの吸殻回収装置の運転方法の例である。図１は実施例のタバコの吸殻回収装置の取り付け状態を示す斜視図、図２は実施例のタバコの吸殻回収装置の縦断面図、図３は実施例のタバコの吸殻回収装置の終端部の斜視図、図４は実施例のタバコの吸殻回収装置の始端部の斜視図、図５は図２のＡ−Ａ断面図、図６は実施例の吸殻の搬送を示す説明図、図７は実施例の搬送部材の回動を示すチャート図、図８は実施例の吸殻の回収を示す説明図である。
【００１０】
本実施例のタバコの吸殻回収装置は、図１〜５に示すように複数台並設されたパチンコ台１の下方に細長のテーブル２を取り付け、皿底に小孔３ａが開口された灰皿３をテーブル２のパチンコ台１毎の位置に取り付け、深底の往路小溝４ａとその両側に浅底の復路小溝４ｂが形成された回収路４を灰皿３の下方にテーブル２の長手に沿って取り付け、回収路４の路端に路端壁４ｃを形成してその下方に回収箱５を脱着自在に取り付けている。往路小溝４ａは路端壁４ｃ側を高く形成し、消火水Ｗを貯水させている。
【００１１】
回収路４の始端部と路端壁４ｃと回収箱５直上には左右一対の従動ローラ４ｄ，４ｅ，１体の従動ローラ４ｆを軸支するとともに、従動ローラ４ｅ，４ｆ間の高さの位置に左右一対の駆動スプロケット４ｇを軸支し、従動ローラ４ｄ・駆動スプロケット４ｇ・従動ローラ４ｆ間に金属製の無端チェーンからなる２条の搬送部材６の往路６ａを往路小溝４ａへ嵌入させて掛架するとともに消火水Ｗに浸漬し、従動ローラ４ｄ，４ｅ，４ｆ間に搬送部材６の復路６ｂを復路小溝４ｂへ嵌入させて掛架している。
【００１２】
回収路４の下部にはモータ７を取り付け、モータ７の出力軸に軸着した駆動歯車７ａと駆動スプロケット４ｇに軸着した従動歯車４ｈ間に駆動チェーン８を掛架し、各従動ローラ４ｆを下方へ付勢して搬送部材６を緊張する左右一対のバネ９を取り付けている。１０はコントローラで、モータ７の回転の連続又は間欠の切換・回転速度の調整を行うプログラムとタイマと手動で高速回動へ切換する切換スイッチ１０ａを備えている。Ｔはタバコの吸殻である。
【００１３】
本実施例の吸殻回収装置は、モータ７を作動させると駆動力が駆動スプロケット４ｇに伝達して搬送部材６の往路６ａを路端壁４ｃ側へ引張するように回動させ、図５に示すように吸殻Ｔが灰皿３に投じられると小孔３ａを通じて搬送部材６の往路小溝４ａ内の往路６ａ上に落下し、搬送部材６で路端壁４ｃ側へ搬送されて回収箱５に回収されるというものである。
【００１４】
以下、本実施例の搬送部材６の回動を図６，７に基づいて説明する。本実施例の隣接する灰皿３間距離は６０ｃｍで、コントローラ１０のプログラムは遊技場の営業時間（１０時間）に搬送部材６を６０分毎に５ｃｍの距離を１秒かけて間欠的に低速回動させ、遊技場の閉店時間になると５分間連続的に高速回動させるように構成されている。図７は上段が搬送部材６の累積回動距離、下段がモータ７のＯＮ・ＯＦＦを示している。
【００１５】
遊技場が開店すると、来店した遊技者は所望のパチンコ台１前に着座して喫煙しながらプレイする。コントローラ１０は自動的に間欠的な低速回動の状態に入っており、図６（ａ）に示すようにまず開始点Ａ・Ｂ・Ｃで６０分間待機する。この間、遊技者から投じられた吸殻Ｔは搬送部材６の往路６ａ上に徐々に積み重なっていき、吸殻Ｔが消火不良で発火・発煙の危険性があっても貯水した消火水Ｗで速やかに消火される。
【００１６】
６０分が経過すると、図６（ｂ）に示すようにコントローラ１０はモータ７を作動させて搬送部材６を回収箱５側（図で左側）へ５ｃｍ／秒の速度で１秒間回動させ、積み重なった吸殻Ｔが左側へ移行する。この後、再び６０分間待機し、この間にまた投じられた吸殻Ｔが搬送部材６の往路６ａ上に積み重なっていく。この間欠運転が遊技場の営業時間内に継続されて吸殻Ｔはゆっくりと搬送されていく。
【００１７】
その後、営業が終了して閉店すると、図６（ｃ）に示すように開始点Ａ・Ｂ・Ｃは搬送先の隣接する灰皿３の手前に到達しており、コントローラ１０は搬送部材６を先の間欠回動と同速で連続的に５分程度回動させて図８に示すように積み重なった吸殻Ｔを一度に回収箱５へ搬送して回収する。
【００１８】
なお、吸殻Ｔが多量に投じられた場合や消火水Ｗでも消火困難となった場合は、遊技場の管理者が切換スイッチ１０ａで手動により高速側へ切換して搬送部材６を高速回動させ、強制的に回収箱５へ搬送させることで対処する。また、営業の開始前又は終了後の清掃時において、回収路４内を洗浄する際は、始端部から洗浄水を流して搬送部材６を連続的に回動させることで洗浄及び洗浄水の排水を同時に行う。
【００１９】
本実施例はこのように構成したから、灰皿３に投じられた吸殻Ｔが回収路４の消火水Ｗで消火されることで早急に回収箱５へ搬送する必要が無くなるから、搬送部材６の駆動距離の短縮及び回動速度の遅延が可能となり、駆動系への負荷が軽減されて装置の耐久性が向上した。また、低速回動の距離を隣接する灰皿３間以下としたから、吸殻Ｔが隣接する灰皿３から落下した吸殻Ｔと重なって回収路４内で詰まることなく円滑に搬送することができた。
【００２０】
図９に示すのは実施例のタバコの吸殻回収装置の他の例であって、回収路４の往路小溝４ａの路底を始端から終端にかけて緩やかな略Ｖ字状に傾斜させ、中央部に消火水Ｗを貯水できるようにした構造である。
【産業上の利用可能性】
【００２１】
本発明は、遊技場・食堂・喫茶店・会議室・その他待合室などに好ましく利用できる。
【図面の簡単な説明】
【００２２】
【図１】実施例のタバコの吸殻回収装置の取り付け状態を示す説明図である。
【図２】実施例のタバコの吸殻回収装置の縦断面図である。
【図３】実施例のタバコの吸殻回収装置の終端部の斜視図である。
【図４】実施例のタバコの吸殻回収装置の始端部の斜視図である。
【図５】図２のＡ−Ａ断面図である。
【図６】実施例の吸殻の搬送を示す説明図である。
【図７】実施例の搬送部材の回動を示すチャート図である。
【図８】実施例の吸殻の回収を示す説明図である。
【図９】実施例の他の例のタバコの吸殻回収装置の縦断面図である。
【符号の説明】
【００２３】
１  パチンコ台
２  テーブル
３  灰皿
３ａ  小孔
４  回収路
４ａ  往路小溝
４ｂ  復路小溝
４ｃ  路端壁
４ｄ〜４ｆ  従動ローラ
４ｇ  駆動スプロケット
４ｈ  従動歯車
５  回収箱
６  搬送部材
６ａ  往路
６ｂ  復路
７  モータ
７ａ  駆動歯車
８  駆動チェーン
９  バネ
１０  コントローラ
１０ａ  切換スイッチ
Ｔ  吸殻
Ｗ  消火水
【図１】
2005130714.tif 000003
【図２】
2005130714.tif 000004
【図３】
2005130714.tif 000005
【図４】
2005130714.tif 000006
【図５】
2005130714.tif 000007
【図６】
2005130714.tif 000008
【図７】
2005130714.tif 000009
【図８】
2005130714.tif 000010
【図９】
2005130714.tif 000011